(57)【要約】【解決手段】薬剤塗布補助具は、把持柄１と、把持柄１の上端部５で尻端部７から頭端部８にわたり設けられて尻端部７と頭端部８との間の背部で頭部２２ａに塗布口部２４を有する塗布容器２２を載せる載置面を有する載置台２と、載置面上に載せた塗布容器２２の尻部２２ｂを支えるストッパ１８と、載置台２の尻端部７から頭端部８へ延びる長手方向Ｘに対し直交する幅方向の両側で載置面上に載せた塗布容器２２の外周を支える支持面と、載置面上に載せた塗布容器２２の外周に巻かれて塗布容器２２を載置台２に対し締め付けて支持する可撓体２０とを備えている。ストッパ１８は載置台２で移動可能に設けられている。載置台２と把持柄１の上端部５との間に段差部２５を設けている。把持柄１に対する載置台２の角度θを複数段階に変更し得る。【効果】塗布容器２２を載置台２上で安定性良く支持して使い勝手を良くする。【選択図】図１
2006020862.tif 000002
【特許請求の範囲】
【請求項１】
上端部から下端部にわたり延設した把持柄と、
その把持柄の上端部で尻端部から頭端部にわたり設けられて、その尻端部と頭端部との間の背部で、頭部に塗布口部を有する塗布容器を載せる載置面を有する載置台と、
その載置面上に載せた塗布容器の尻部を支えるストッパと、
その載置面上に載せた塗布容器を載置台に支持する止め体と
を備えたことを特徴とする薬剤塗布補助具。
【請求項２】
前記ストッパと前記載置台の頭端部との間の距離を変更し得る移動調節手段を設けたことを特徴とする請求項１に記載の薬剤塗布補助具。
【請求項３】
上端部から下端部にわたり延設した把持柄と、
その把持柄の上端部で尻端部から頭端部にわたり設けられて、その尻端部と頭端部との間の背部で、頭部に塗布口部を有する塗布容器を載せる載置面を有する載置台と、
その載置台の尻端部から頭端部へ延びる長手方向に対し直交する幅方向の両側で、その載置面上に載せた塗布容器の外周を支える支持面と、
その載置面上に載せた塗布容器の外周に巻かれてその塗布容器を載置台に対し締め付けて支持する可撓体と
を備えたことを特徴とする薬剤塗布補助具。
【請求項４】
前記載置台は前記把持柄の上端部から突出して尻端部から頭端部にわたり延び、この載置台における尻端部と頭端部との間の腹部と把持柄の上端部の腹部との間に段差部を設けたことを特徴とする請求項１または請求項２または請求項３に記載の薬剤塗布補助具。
【請求項５】
前記把持柄の延設方向に対し前記載置台の載置面がなす角度を複数段階に変更し得る角度切換手段を備えていることを特徴とする請求項１から請求項４のうちいずれかの請求項に記載の薬剤塗布補助具。
【発明の詳細な説明】
【技術分野】
【０００１】
本発明は、頭部に塗布口部を有する塗布容器を支持してその塗布容器の塗布口部を背中などに当てがって薬剤を塗布し易くした補助具に関するものである。
【背景技術】
【０００２】
一般に、この種の塗布容器は各種患部に薬剤を塗布する際に広く利用されている。背中など手の届かない所に対してはこの塗布容器を一人で塗ることができないため、近くの人に頼んで塗布容器を背中などの患部に塗ってもらうことは多々ある。しかし、一人暮らしの人、特に、高齢者や、痛みを持つために腕が自由に動かない人は、背中などの患部に塗布容器を塗ることは困難である。
【０００３】
そこで、薬剤を背中などに塗布し易くした補助具としては、下記の特許文献１などが開示されている。
【特許文献１】実用新案登録第３０８３８０７号公報
【発明の開示】
【発明が解決しようとする課題】
【０００４】
しかし、上記の特許文献１にかかる薬剤塗布補助具は、頭部に塗布口部を有する塗布容器を支持するのに適した設計がなされていないため、塗布容器の支持状態が不安定になって使い勝手が悪くなる問題がある。
【０００５】
この発明は、薬剤塗布補助具において、頭部に塗布口部を有する塗布容器に適した設計を採用することにより、使い勝手を良くすることを目的としている。
【課題を解決するための手段】
【０００６】
後記実施形態の図面（図１〜２）の符号を援用して本発明を説明する。
請求項１の発明にかかる薬剤塗布補助具は、頭部（２２ａ）に塗布口部（２４）を有する塗布容器（２２）に利用され、上端部（５）から下端部（６）にわたり延設した把持柄（１）と、その把持柄（１）の上端部（５）で尻端部（７）から頭端部（８）にわたり設けられてその尻端部（７）と頭端部（８）との間の背部で塗布容器（２２）を載せる載置面（１５）を有する載置台（２）と、その載置面（１５）上に載せた塗布容器（２２）の尻部（２２ｂ）を支えるストッパ（１８）と、その載置面（１５）上に載せた塗布容器（２２）を載置台（２）に支持する止め体（４）とを備えている。このストッパ（１８）としては、請求項２の発明のように載置台（２）で移動可能に設けてもよいし、載置台（２）で段差状に一体形成してもよい。例えば、この止め体（４）は、載置面（１５）上に載せた塗布容器（２２）の外周に巻かれて塗布容器（２２）を載置台（２）に対し締め付けて支持する可撓体（２０）を備えている。
【０００７】
請求項１の発明では、載置台（２）の載置面（１５）上に塗布容器（２２）を載せた状態でその塗布容器（２２）の尻部（２２ｂ）をストッパ（１８）により支え、塗布時に塗布容器（２２）の塗布口部（２４）が押されてもその押圧力をそのストッパ（１８）により受けることができる。そのため、塗布時の押圧力により塗布容器（２２）が載置台（２）の尻端部（７）から頭端部（８）へ延びる長手方向（Ｘ）へ動くのを防止して、塗布容器（２２）を載置台（２）上で安定性良く支持することができる。従って、薬剤塗布補助具の使い勝手を良くすることができる。
【０００８】
請求項１の発明を前提とする請求項２の発明においては、前記ストッパ（１８）と前記載置台（２）の頭端部（８）との間の距離（Ｌ）を変更し得る移動調節手段（１７，１９）を設けている。例えば、この移動調節手段（１７，１９）において、ストッパ（１８）は、載置台（２）の頭端部（８）に対する距離（Ｌ）を変更するように載置台（２）で移動可能に設けられている。また、この移動調節手段においては、載置台（２）で頭端部（８）をストッパに対する距離を変更するように二重構造にして移動可能に設けてもよい。請求項２の発明では、載置面（２）上に載せた塗布容器（２２）で頭部（２２ａ）と尻部（２２ｂ）との間の長さが異なっていても、前記移動調節手段（１７，１９）により、塗布容器（２２）の塗布口部（２４）が載置台（２）の頭端部（８）から突出する寸法を調節することができる。従って、薬剤塗布補助具の使い勝手を良くすることができる。
【０００９】
請求項３の発明にかかる薬剤塗布補助具は、頭部（２２ａ）に塗布口部（２４）を有する塗布容器（２２）に利用され、上端部（５）から下端部（６）にわたり延設した把持柄（１）と、その把持柄（１）の上端部（５）で尻端部（７）から頭端部（８）にわたり設けられてその尻端部（７）と頭端部（８）との間の背部で塗布容器（２２）を載せる載置面（１５）を有する載置台（２）と、その載置台（２）の尻端部（７）から頭端部（８）へ延びる長手方向（Ｘ）に対し直交する幅方向（Ｙ）の両側でその載置面（１５）上に載せた塗布容器（２２）の外周を支える支持面（１６）と、その載置面（１５）上に載せた塗布容器（２２）の外周に幅方向（Ｙ）へ巻かれてその塗布容器（２２）を載置台（２）に対し締め付けて支持する可撓体（２０）とを備えている。例えば、幅方向（Ｙ）の両側の支持面（１６）は、載置面（１８）で幅方向（Ｙ）の両側間の中間部からその両側へ向かうに従い上方へ傾斜している。ちなみに、この両支持面（１６）を有する載置面（１５）で幅方向（Ｙ）の断面形状については、塗布容器（２２）の外周形状に合わせて丸みを持たせることができる。
【００１０】
請求項３の発明では、載置台（２）の載置面（１５）上に載せた塗布容器（２２）でその外周の大きさ及び形が異なっていても、前記可撓体（２０）が塗布容器（２２）の外周の大きさ及び形に応じて変形して塗布容器（２２）を載置台（２）に対し締め付けることができる。また、載置面（１５）上に塗布容器（２２）を載せた状態で塗布容器（２２）の外周を支持面（１６）により支え、塗布時に塗布容器（２２）の塗布口部（２４）が押されてもその押圧力をその支持面（１６）により受けることができる。そのため、塗布時の押圧力により塗布容器（２２）が載置台（２）の幅方向（Ｙ）へ動くのを防止して、可撓体（２０）と相俟って塗布容器（２２）を載置台（２）上で安定性良く支持することができる。従って、薬剤塗布補助具の使い勝手を良くすることができる。
【００１１】
請求項１または請求項２または請求項３の発明を前提とする請求項４の発明において、前記載置台（２）は前記把持柄（１）の上端部（５）から突出して尻端部（７）から頭端部（８）にわたり延び、この載置台（２）における尻端部（７）と頭端部（８）との間の腹部（２ａ）と把持柄（１）の上端部（５）の腹部（５ａ）との間に段差部（２５）を設けている。請求項４の発明では、この段差部（２５）で載置台（２）の腹部（２ａ）と把持柄（１）の腹部（５ａ）との間に回避空間（Ｓ）を設けることができる。そのため、塗布容器（２２）の塗布口部（２４）を肩の上や脇腹の横から背中などに当てがう際、前記回避空間（Ｓ）があるために、把持柄（１）や載置台（２）が肩や脇腹に当たりにくくなる。従って、薬剤塗布補助具の使い勝手を良くすることができる。
【００１２】
請求項１から請求項４のうちいずれかの請求項の発明を前提とする請求項５の発明において、前記把持柄（１）の延設方向（Ｚ）に対し前記載置台（２）の載置面（１５）がなす角度（θ）を複数段階に変更し得る角度切換手段（９）を備えている。請求項５の発明では、塗布口部（２４）の向きの異なる塗布容器（２２）でも、前記角度切換手段（９）により、載置台（２）に支持された塗布容器（２２）で塗布口部（２４）の向きを変更することができる。従って、薬剤塗布補助具の使い勝手を良くすることができる。
【発明の効果】
【００１３】
本発明は、頭部（２２ａ）に塗布口部（２４）を有する塗布容器（２２）に適した薬剤塗布補助具において、使い勝手を良くすることができる。
【発明を実施するための最良の形態】
【００１４】
以下、本発明の一実施形態にかかる薬剤塗布補助具について図面を参照して説明する。
図１（ａ）（ｂ）（ｃ）に示すように、この薬剤塗布補助具は、大別して、把持柄１と載置台２とストッパ手段３と止め体４とを備えている。
【００１５】
前記把持柄１は、例えばプラスチックにより成形され、上端部５から下端部６にわたり細長く延設されている。この把持柄１については、延設方向Ｚの長さが２５０ｍｍぐらいが適当であるが、伸縮可能に設けてもよい。
【００１６】
前記載置台２は、例えばプラスチックにより成形され、前記把持柄１の上端部５から前方へ突出して尻端部７から頭端部８にわたり延設され、図２（ａ）（ｃ）に示すように、その尻端部７で前記把持柄１の上端部５に対し角度切換手段９により連結されている。この角度切換手段９においては、前記載置台２の尻端部７から下方へ延びるレバー１０が前記把持柄１の上端部５に対し軸部１１で上下方向へ回動可能に支持され、この把持柄１の上端部５に対し操作つまみ１２がロック位置Ｐとロック解除位置Ｑとの間で移動可能に支持されてそれらの位置Ｐ，Ｑで保持される。この操作つまみ１２に形成されたロック爪１３は、このレバー１０で周方向へ形成された複数のロック凹部１４のうちいずれかのロック凹部１４に対し操作つまみ１２のロック位置Ｐで係入され、操作つまみ１２のロック解除位置Ｑでこれらのロック凹部１４から離脱される。
【００１７】
前記載置台２には、図２（ａ）（ｂ）に示すように、その尻端部７と頭端部８との間の背部で、頭端部８から尻端部７へ向けて延びる載置面１５がそれらの端部７，８間の略中間位置まで形成されている。この載置面１５においては、載置台２の尻端部７から頭端部８へ延びる長手方向Ｘに対し直交する幅方向Ｙの両側で、支持面１６が幅方向Ｙの両側間の中間部からその両側へ向かうに従い上方へ傾斜するように形成されている。
【００１８】
前記ストッパ手段３においては、図２（ａ）（ｃ）に示すように、前記載置台２の背部で載置面１５から尻端部７まで延びる溝１７（移動調節手段）が形成され、この溝１７に対しストッパ１８が載置台２の長手方向Ｘへ移動可能に嵌め込まれてねじ１９（移動調節手段）により位置決めされる。そのため、このストッパ１８と載置台２の頭端部８との間の距離Ｌを変更することができる。
【００１９】
前記止め体４は、図２（ａ）（ｂ）に示すように、一対の可撓体２０（例えば柔軟で自在に折ることができるな可撓バンドなど）を備えている。この両可撓体２０の一端部２０ａが前記載置台２の下側に取着され、その一端部２０ａに締付環２１が連結されている。この両可撓体２０には面ファスナー（図示せず）が設けられている。
【００２０】
図１（ａ）（ｂ）（ｃ）に示す各塗布容器２２においては、頭部２２ａで容器本体２３の塗布面（図示せず）を蓋２４ａにより被冠した塗布口部２４が設けられ、頭部２２ａと尻部２２ｂとの間の長さや、容器本体２３の外周の形状及び大きさや、塗布口部２４の向きなどの形態が異なる。操作つまみ１２のロック解除位置Ｑで載置台２を把持柄１に対し回動調節した後に操作つまみ１２をロック位置Ｐにすると、各塗布容器２２の形態に応じて、把持柄１の延設方向Ｚに対し載置台２の載置面１５がなす角度θ（例えば９０°，６０°１２０°）を変更することができる。いずれの場合でも、載置台２における尻端部７と頭端部８との間の腹部２ａと把持柄１の上端部５の腹部５ａとの間に段差部２５が形成され、その段差部２５から回避空間Ｓが大きく広がる。
【００２１】
前記塗布容器２２を載置台２の載置面１５上に載せると、塗布容器２２でその尻部２２ｂをストッパ１８により支えるとともに容器本体２３の外周を両支持面１６により支えることができる。前記両可撓体２０を塗布容器２２の外周に対し締付環２１を通して巻き、その両可撓体２０を締め付けて面ファスナー（図示せず）で止めると、塗布容器２２を載置台２に対し支持することができる。
【００２２】
薬剤塗布補助具を使用する場合には、塗布容器２２の塗布口部２４で蓋２４ａを外して塗布面（図示せず）を露出させ、把持柄１を握ってその塗布口部２４の塗布面（図示せず）を肩の上や脇腹の横から背中などに当てがって塗布する。
【図面の簡単な説明】
【００２３】
【図１】（ａ）（ｂ）（ｃ）はそれぞれ本実施形態にかかる薬剤塗布補助具において把持柄に対し載置台がなす角度を変更した状態を示す正面図である。
【図２】（ａ）は上記薬剤塗布補助具を正面側から見た部分拡大断面図であり、（ｂ）は（ａ）のＡ−Ａ線部分断面図であり、（ｃ）は（ａ）のＢ−Ｂ線部分断面図である。
【符号の説明】
【００２４】
１…把持柄、２…載置台、２ａ…腹部、３…ストッパ手段、４…止め体、５…把持柄の上端部、５ａ…腹部、６…把持柄の下端部、７…載置台の尻端部、８…載置台の頭端部、９…角度切換手段、１５…載置台の載置面、１６…載置面の支持面、１７…溝（移動調節手段）、１８…ストッパ、１９…ねじ（移動調節手段）、２０…止め体の可撓体、２２…塗布容器、２２ａ…頭部、２２ｂ…尻部、２４…塗布口部、２５…段差部、Ｌ…ストッパと載置台の頭端部との間の距離、θ…把持柄の延設方向に対し載置台の載置面がなす角度、Ｘ…長手方向、Ｙ…幅方向、Ｚ…把持柄の延設方向。
【図１】
2006020862.tif 000003
【図２】
2006020862.tif 000004